(57)【要約】  この発明は、子供を支持するための装置に関する。この発明はまた、そのような装置が設けられたベビーカー、子供用椅子、および子供用ベッドに関する。この発明によれば、装置の下方キャリッジおよび上方キャリッジの相対的回転運動が、変換機構によって、下方キャリッジを折畳む運動に変換される。これにより、装置の横断方向のサイズを減少することも可能である。
2013537150.tif 000002
【特許請求の範囲】
【請求項１】
子供を支持するための装置であって、
枢動可能な横断接続部を有する下方キャリッジを含み、前記下方キャリッジは、前記枢動可能な横断接続部を枢動することによって第１の方向に折畳み可能であり、前記装置はさらに、
前記下方キャリッジに枢動可能に結合された上方キャリッジを含み、前記下方キャリッジおよび上方キャリッジは互いに向かって回転可能であり、前記装置はさらに、
前記下方キャリッジおよび前記上方キャリッジの互いに向かう相対的回転運動を、前記枢動可能な横断接続部の折畳み運動に変換するための変換機構を含み、前記変換機構は、前記上方キャリッジの一端に接続された第１の係合要素と、前記横断接続部の一端に接続された第２の係合要素とを含み、前記第１および第２の係合要素は相互に係合しており、
前記装置は、前記下方キャリッジが折畳まれた折畳み位置と、前記上方キャリッジが前記下方キャリッジに対して斜めに延びる使用位置との間で可動である、装置。
【請求項２】
前記下方キャリッジおよび前記上方キャリッジは、前記第１の方向に実質的に平行な回転軸に沿って、互いに向かって回転可能である、請求項１に記載の装置。
【請求項３】
前記第１の係合要素および前記第２の係合要素は各々、歯車部を含む、請求項１または２に記載の装置。
【請求項４】
前記上方キャリッジは一端で、前記回転軸を中心とする回転のために配置された第１の歯車部に固定接続され、前記横断接続部は一端で、前記第１の歯車部に垂直に係合する第２の歯車部に固定接続されている、請求項２に従属する範囲での、請求項３に記載の装置。
【請求項５】
前記第２の歯車部は、前記下方キャリッジに固定接続された第１の軸を中心に回転可能である、請求項４に記載の装置。
【請求項６】
前記横断接続部は、前記回転軸の位置に配置されている、請求項２〜５のいずれかに記載の装置。
【請求項７】
前記横断接続部は、一端で相互枢動のために互いに結合され、他端で前記下方キャリッジの残りの部分に各々別々に枢動可能に結合された、第１の伸長部および第２の伸長部を含み、使用位置では、前記第１の伸長部は前記第２の伸長部と並んで位置し、および／または第２の伸長部にロックされている、前述の請求項のいずれかに記載の装置。
【請求項８】
前記横断接続部は、前記第１の伸長部および前記第２の伸長部の前記相互枢動のためにヒンジ要素を含み、前記変換機構は、前記下方キャリッジを折畳むために、上方キャリッジおよび下方キャリッジの互いに向かう相対的回転運動を、前記ヒンジ要素の運動に変換するよう適合されている、請求項７に記載の装置。
【請求項９】
前記上方キャリッジは、請求項７または８に記載の前記横断接続部と同様に具現化された、さらに別の枢動可能な横断接続部によって、前記第１の方向に折畳み可能であり、前記上方キャリッジは、前記上方キャリッジおよび前記下方キャリッジの互いに向かう相対的回転運動の際、前記さらに別の横断接続部が折畳まれるように具現化されている、前述の請求項のいずれかに記載の装置。
【請求項１０】
前記下方キャリッジは、請求項７または８に記載の前記横断接続部と同様に具現化された、さらに別の枢動可能な横断接続部を含み、前記下方キャリッジの前記横断接続部および前記さらに別の横断接続部は、前記下方キャリッジの前記横断接続部および前記さらに別の横断接続部が実質的に同時に枢動するように結合されている、前述の請求項のいずれかに記載の装置。
【請求項１１】
前記下方キャリッジの前記横断接続部をロックするためにユーザによって操作可能なロック機構、および／または、前記下方キャリッジの前記さらに別の横断接続部をロックするためにユーザによって操作可能なさらに別のロック機構、および／または、前記上方キャリッジの前記さらに別の横断接続部をロックするためにユーザによって操作可能なさらに別のロック機構を含む、前述の請求項のいずれかに記載の装置。
【請求項１２】
前記下方キャリッジは、第１の結合ハウジングが設けられた第１のアームと、第２の結合ハウジングが設けられた第２のアームとを含み、
前記第１の伸長部は前記第１の結合ハウジングに枢動可能に接続され、前記第２の伸長部は前記第２の結合ハウジングに枢動可能に接続され、
前記上方キャリッジは、前記第１の結合ハウジングおよび前記第２の結合ハウジングに枢動可能に接続されている、請求項７に従属する範囲での、前述の請求項のいずれかに記載の装置。
【請求項１３】
前記第１および第２の結合ハウジングは各々、地面で前記装置を支持するための、支持ブロックまたは支持ホイールなどの支持構造に接続されている、請求項１２に記載の装置。
【請求項１４】
前記下方キャリッジの前記第１のアーム、前記第２のアーム、前記横断接続部、および／または前記さらに別の横断接続部は、実質的に同じ平面に位置しており、前記下方キャリッジの前記横断接続部および／またはさらに別の横断接続部を折畳む際、関連する前記第１の伸長部および関連する前記第２の伸長部が平面で枢動する、請求項１２または１３に記載の装置。
【請求項１５】
前記第１のアーム、前記第２のアーム、および前記横断接続部は、Ｕ字型の輪郭を形成し、または
前記下方キャリッジの前記第１のアーム、前記第２のアーム、前記横断接続部、および前記さらに別の横断接続部は、矩形の輪郭を形成し、または
前記第１のアーム、前記第２のアーム、および前記横断接続部は三角形の輪郭を形成し、前記第１のアームおよび前記第２のアームは、前記横断接続部から離れる方に向かう側で互いに枢動可能に結合されている、請求項１２〜１４のいずれかに記載の装置。
【請求項１６】
前記上方キャリッジは、前記第１の結合ハウジングに枢動可能に結合された第３のアームと、前記第２の結合ハウジングに枢動可能に結合された第４のアームとを含み、
請求項６に従属する範囲で、前記上方キャリッジの前記さらに別の横断接続部は、前記第３のアームおよび前記第４のアームの双方に枢動可能に接続されている、請求項１２〜１５のいずれかに記載の装置。
【請求項１７】
前記第１のアームおよび前記第３のアームの互いに向かう相対的回転運動を、前記横断接続部の前記第１の伸長部の折畳み運動に変換し、および／または
前記第２のアームおよび前記第４のアームの互いに向かう相対的回転運動を、前記横断接続部の前記第２の伸長部の折畳み運動に変換するための、別の変換機構を含む、請求項１２〜１６のいずれかに記載の装置。
【請求項１８】
前記下方キャリッジと前記上方キャリッジとの間の接続アームをさらに含み、前記接続アームは、前記下方キャリッジまたは前記上方キャリッジに摺動可能にかつ枢動可能に結合され、前記下方キャリッジまたは前記上方キャリッジの他方に枢動可能に接続されている、前述の請求項のいずれかに記載の装置。
【請求項１９】
前記装置は、前記第１のアームと前記第３のアームとの間に、および／または前記第２のアームと前記第４のアームとの間に配置された接続アームを含む、請求項１６に従属する範囲での、請求項１８に記載の装置。
【請求項２０】
前記第１のアームと前記第３のアームとの間の前記接続アームの摺動運動をロックするための、および／または、前記第２のアームと前記第４のアームとの間の前記接続アームの摺動運動をロックするためのロック機構を含む、請求項１８または１９に記載の装置。
【請求項２１】
前記接続アームは前記下方キャリッジに摺動可能にかつ枢動可能に結合され、前記上方キャリッジに枢動可能に接続されており、前記変換機構は、前記横断接続部と前記接続アームとの間の結合アームを含み、前記接続アームおよび結合アームは、前記下方キャリッジおよび前記上方キャリッジの互いに向かう相対的回転運動の際、前記接続アームが前記横断接続部から離れるように摺動して、これにより前記横断接続部の枢動をもたらすように具現化されている、請求項２０に記載の装置。
【請求項２２】
結合アームが、前記第１のアーム用の前記接続アームと前記第１の伸長部との間に、および、前記第２のアーム用の前記接続アームと前記第２の伸長部との間に配置されている、請求項７および１９に従属する範囲での、請求項２１に記載の装置。
【請求項２３】
横断方向に離れて配置され、前記第１の方向に折畳み可能なバー構成によって相互接続された１対の接続アームを含み、前記バー構成は、使用位置で前記接続アーム間に剛性接続部を形成するよう付勢されている、請求項１８〜２２のいずれかに記載の装置。
【請求項２４】
前記バー構成は死点を有し、前記バー構成は、剛性接続部をもはや形成しなくなるよう、死点を越えて動かなければならず、前記装置はさらに、前記死点を越えるように前記バー構成を動かすことによって前記バー構成のロックを解除するようユーザによって操作可能なロック解除機構を含む、請求項２３に記載の装置。
【請求項２５】
前記ロック解除機構、および、前記第１のアームと前記第３のアームとの間の前記接続アームまたは前記第２のアームと前記第４のアームとの間の前記接続アームの摺動運動をロックするための前記ロック機構は、前記ユーザによる１回の操作によって同時に操作可能である、請求項２０に従属する範囲での、請求項２４に記載の装置。
【請求項２６】
前記上方キャリッジは、前記回転軸に平行な軸を中心とする相互枢動のために互いに枢動可能に結合された、第１の上方キャリッジ部および第２の上方キャリッジ部を含む、請求項２に従属する範囲での、前述の請求項のいずれかに記載の装置。
【請求項２７】
前記接続アームは前記第１の上方キャリッジ部に摺動可能にかつ枢動可能に結合され、前記下方キャリッジに枢動可能に接続されており、前記装置はさらに、前記第１の方向に折畳み可能で、前記第１の方向に平行な軸を中心とする回転のためにヒンジによって相互接続された背部およびシート部が設けられた子供用シートを含み、前記シート部はそのお尻側に、前記ヒンジから前記接続アームへと枢動可能に接続されたシートアームと、前記ヒンジから前記第１の上方キャリッジ部へと枢動可能に接続されたシート部結合アームとを含み、前記背部はその片側に、前記ヒンジから延びて前記第２の上方キャリッジ部に直接または変換機構を介して枢動可能に接続された背部アームを含む、請求項１８〜２０のいずれかに従属する範囲での、請求項２６に記載の装置。
【請求項２８】
前記子供用シートには、前記第１の上方キャリッジ部の窪みに受けられる第１の挿入部が設けられ、前記シート部結合アームは前記第１の挿入部に枢動可能に接続されており、前記子供用シートはさらに、前記第２の上方キャリッジ部の窪みに受けられ、前記背部アームが枢動可能に接続された第２の挿入部を含む、請求項２７に記載の装置。
【請求項２９】
前記第１および第２の挿入部と前記第１および第２の上方キャリッジ部との接続は解除可能であり、それにより前記子供用シートは前記装置の残りから取外し可能である、請求項２８に記載の装置。
【請求項３０】
前記第１および前記第２の上方キャリッジ部の相互ロックのためにユーザによって操作可能なロック機構を含む、請求項２６〜２９のいずれかに記載の装置。
【請求項３１】
前記第１のアームと前記第３のアームとの間の前記接続アームの摺動運動をロックするための、および／または前記第２のアームと前記前記第４のアームとの間の接続アームの摺動運動をロックするための前記ロック機構は、前記第１または第２の上方キャリッジ部に受けられ、かつ、前記第１および第２の上方キャリッジ部のロック解除および相対的回転の後でのみ、ユーザによってアクセス可能および／または操作可能である、前記ロック機構の前記操作のための操作要素を含む、請求項２０に従属する範囲での、請求項３０に記載の装置。
【請求項３２】
前記第３のアームはその一端で、前記下方キャリッジおよび前記上方キャリッジの互いに向かう相対的回転運動の際、前記回転軸を中心に回転する前記第１の歯車部に固定接続され、前記第１の伸長部は、前記第１のアームに向かう一端で、前記第２の歯車部に接続され、前記第２の歯車部は、前記第１のアームに対する前記第１の伸長部の前記枢動のために、前記第１のアームに固定接続された第１の軸を中心に回転可能である、請求項１６に従属する範囲での、請求項５に記載の装置。
【請求項３３】
前記第１の軸は前記第１の結合ハウジングに配置され、前記第３のアームにはその一端に、前記回転軸に平行にかつ前記第１の結合ハウジングの空洞内で延びる第２の軸が設けられ、第２の軸はその一端で前記第１の歯車部に接続されている、請求項３２に記載の装置。
【請求項３４】
前記第２のアーム、前記第４のアーム、および前記第２の伸長部についても、請求項３２または３３に記載されたものと同様の態様で、第１の歯車部および第２の歯車部が配置されている、請求項３２または３３に記載の装置。
【請求項３５】
請求項１〜３４のいずれかに記載の子供を支持するための前記装置を含む、ベビーカー。
【請求項３６】
前記装置の前記下方キャリッジには車輪が設けられ、前記装置の前記下方キャリッジは前記ベビーカーの下方キャリッジを形成しており、前記装置の前記上方キャリッジは前記ベビーカーのプッシュバーを形成している、請求項３５に記載のベビーカー。
【請求項３７】
前記第３のアームおよび前記第４のアームは、前記ベビーカーを押し進めるためのプッシュバーであり、前記第１および第２のアームには車輪が設けられている、請求項１６に従属する範囲での、請求項３６に記載のベビーカー。
【請求項３８】
前記車輪は、旋回のために前記第１または前記第２の結合ハウジングに接続されている、請求項３７に記載のベビーカー。
【請求項３９】
前記上方キャリッジは、前記第１の方向に折畳み可能な子供用シートに接続可能であり、または接続されている、請求項３５〜３８のいずれかに記載のベビーカー。
【請求項４０】
請求項１〜３４のいずれかに記載の子供を支持するための前記装置を含む、子供用椅子。
【請求項４１】
前記第１のアームおよび前記第２のアームは、地面で前記子供用椅子を支持するための桁を形成しており、前記第３および第４のアームは、シート部に接続可能な、または接続された垂直材である、請求項１６に従属する範囲での、請求項４０に記載の子供用椅子。
【請求項４２】
請求項１〜３４のいずれかに記載の子供を支持するための装置を含む、子供用ベッド。
【請求項４３】
子供を支持するための前記装置の少なくとも２つを含み、各装置の前記第３および第４のアームは使用位置では垂直に配置されており、前記少なくとも２つの装置の前記第１および第２のアームは、前記横断接続部、前記第１のアーム、および前記第２のアームが、マットレスを配置可能な矩形構造を形成するように、互いに固定接続されている、請求項１６に従属する範囲での、請求項４２に記載の子供用ベッド。
【請求項４４】
前記第３および第４のアーム間に張り渡された下方または上方に折畳むスクリーンをさらに含む、請求項４３に記載の子供用ベッド。
【発明の詳細な説明】
【技術分野】
【０００１】
この発明は、子供を支持するための装置に関する。この発明はまた、そのような装置が設けられたベビーカー、子供用椅子、および子供用ベッドに関する。
【背景技術】
【０００２】
子供を支持するためのさまざまな装置が公知である。装置の一例はベビーカーである。ベビーカーは、子供を運ぶという目的のために多くの状況において必要であり、または望ましいため、ベビーカーは容易に運べるものである必要がある。公知のベビーカーは、折畳み可能な形をとるという点で、この要望に備えている。１つまたは複数のロック機構を操作することによって、ベビーカーは非安定状態になり、その後ベビーカーは折畳める。ベビーカーが折畳める範囲は、たとえば車内でベビーカーを運ぶために空間がどれだけ要求されるかを決定する。折畳み式ベビーカーのサイズはしたがって、依存として継続的な問題である。
【発明の概要】
【発明が解決しようとする課題】
【０００３】
公知のベビーカーは通常、ベビーカーを折畳み可能にするために、十字継手を用いた公知の手法を使用している。この原理は、枢動時、枢動可能な十字継手がより長くかつより狭くなり、または反対により短くかつより幅広くなるという事実に基づいている。十字継手をベビーカーの正しい位置に、たとえばベビーカーの前進運動の方向から見てベビーカーの左側部分と右側部分との間に配置することによって、要求される折畳み可能性を得ることができる。この種の手法の欠点は、提供される剛性、特にベビーカーが折畳まれる方向、たとえば横断方向における剛性が限られていることである。これにより、公知の折畳み可能なベビーカーは通常、折畳み方向では剛性がない。
【０００４】
公知の折畳み可能なベビーカーの別の欠点は、折畳まれた位置でそれらが高品質のシート部用の空間をほとんどまたは全く残さないということである。シート部があったとしても、そのようなシート部は背中用の受入可能な調節オプションを許容しない。
【０００５】
別の欠点は、公知の手法が通常、子供に接触し得る可動部品を使用しているという事実にある。これにより、子供がベビーカーの機械的可動構成部品間に挟まれるおそれがある。
【０００６】
公知の解決策の別の欠点は、荷物の保管に利用できる空間が限られていることである。
別の欠点は、ベビーカーを折畳む際に行なうべき操作の複雑性にある。ベビーカーを折畳むことは概して直観的に理解できるものではないということは、公知の問題である。操作マニュアルがなければ、ベビーカーを折畳むことは、ユーザにかなりの困難をもたらす場合がある。
【０００７】
さらに別の欠点は、公知の製品の寸法に関連する。ユーザが子供を運ぶために解決策を必要とする場合、このユーザは通常、バギーを使用するであろう。この種のベビーカーは概して、移動時に非常に好適なコンパクトな形状が得られるように、軽量で折畳み可能になっている。ユーザが自分のために、および子供のためにより一層の快適性を求める場合、通常、より大きいベビーカーが使用される。これらのベビーカーは折畳み可能であるが、折畳まれたベビーカーが占める体積は、多くのユーザにとって、ちょっとした使用や移動には大きすぎる。しかしながら、より大きいベビーカーは、携帯用ベビーベッドまたはカーシートの取付けといったオプションを提供可能である。ユーザはしたがって、一方での快適性およびオプションと他方での運びやすさとの間で、継続的に妥協しなければならない。
【０００８】
上述の要件はベビーカーのみに存在するのではなく、折畳み可能な子供用椅子および子供用ベッドについてもあてはまる、ということは当業者には明らかであろう。本願の文脈において、これらの種類の製品は、子供を支持するための装置と呼ばれる。しかしながら、この発明は、これらの種類の装置のすでに明記された例にとって特に好適であるということに留意されたい。
【０００９】
この発明は、上述の問題が全くまたは少なくともほとんど起こらない、子供を支持するための装置を提供する。
【課題を解決するための手段】
【００１０】
この発明に従った装置は、枢動可能な横断接続部を有する下方キャリッジを含み、下方キャリッジは、枢動可能な横断接続部を枢動することによって第１の方向に折畳み可能である。装置はさらに、下方キャリッジに枢動可能に結合された上方キャリッジを含み、下方キャリッジおよび上方キャリッジは互いに向かって回転可能である。なお、ここでは、下方キャリッジおよび上方キャリッジという言葉の使用は、通常使用時の配向のみを意味する。
【００１１】
装置はさらに、下方キャリッジおよび上方キャリッジの互いに向かう相対的回転運動を、枢動可能な横断接続部の折畳み運動に変換するための変換機構（transmission）を含む。装置はここでは、下方キャリッジが折畳まれた折畳み位置と、上方キャリッジが下方キャリッジに対して斜めに延びる使用位置との間で可動である。使用位置では、装置は開かれている。折畳み位置で上方キャリッジおよび下方キャリッジが実質的に重なり合っている場合、非常にコンパクトなベビーカーが得られる。
【００１２】
この発明の文脈では、横断接続部は、少なくとも使用位置で横断方向における装置の剛性を高める、装置の横断方向における接続部とみなされる。
【００１３】
この発明の文脈では、下方キャリッジおよび上方キャリッジの互いに向かう相対的回転運動を、枢動可能な横断接続部の折畳み運動に変換するための変換機構は、機械的に結合された一連の要素を含み、それらは各々、前記変換時に動く。
【００１４】
この発明に従った装置では、下方キャリッジおよび上方キャリッジを互いに向かって回転させることにより、同時に装置を折畳み、次に特に下方キャリッジを折畳むことが可能である。これにより、垂直方向および横断方向といった２つの方向において、サイズの減少が達成される。
【００１５】
この発明の一実施例では、下方キャリッジおよび上方キャリッジは、第１の方向に実質的に平行な回転軸に沿って、互いに向かって回転可能である。この発明の文脈では、回転軸とは、必ずしも実際の物理的な軸の存在を意味するものではない。回転軸はまた、関連する数学的概念を意味する場合がある。
【００１６】
この発明の一実施例では、横断接続部は、回転軸の位置に配置されている。装置はこれにより、横断方向において、脆弱な点、すなわち、下方キャリッジおよび上方キャリッジが互いに対して枢動する点で強化される。
【００１７】
この発明の一実施例では、横断接続部は、一端で相互枢動のために互いに結合され、他端で下方キャリッジの残りの部分に各々別々に枢動可能に結合された、第１の伸長部および第２の伸長部を含み、使用位置では、第１の伸長部は第２の伸長部と並んで位置し、および／または第２の伸長部にロックされている。これらの部分は使用位置では並んで位置し、したがって連続する全体を形成しているため、第１の方向における下方キャリッジの剛性が高まる。また、第１および第２の伸長部のさらなる相対的回転を防止する止め具を横断接続部に設けることも可能である。しかしながら、そのような止め具は、折畳み運動を不可能にしてはならない。
【００１８】
伸長部の主な機能は、下方キャリッジを形成するために必要な距離を作り出すことである。伸長部はしたがって、スペーサ部である。ディスクまたはプレート部といった他の形状のスペーサ部も、除外されない。
【００１９】
この発明の一実施例では、横断接続部は、第１の伸長部および第２の伸長部の前記相互枢動のためにヒンジ要素を含み、変換機構は、下方キャリッジを折畳むために、上方キャリッジおよび下方キャリッジの互いに向かう相対的回転運動を、ヒンジ要素の運動に変換するよう適合されている。ヒンジ要素は複数の別個のヒンジを含んでいてもよい。ヒンジ要素はこのため、第１の伸長部および第２の伸長部が互いに独立して枢動可能に搭載されたプラットホームを含んでいてもよい。変換機構は好ましくは、直接的である。これは、ヒンジ要素または横断接続部に係合してそれに回転力、引張力、牽引力、または押す力をかける機械的構成による、下方キャリッジおよび上方キャリッジの相対的回転の結果、ヒンジ要素が活発に動かされる、ということを意味する。
【００２０】
この発明の一実施例では、上方キャリッジは、上述の横断接続部と同様に具現化された、さらに別の枢動可能な横断接続部によって、第１の方向に折畳み可能である。上方キャリッジはここでは、上方キャリッジおよび下方キャリッジの互いに向かう相対的回転運動の際、さらに別の横断接続部が折畳まれるように具現化されている。可能な一実施例では、さらに別の横断接続部はこのため、第１の伸長部および第２の伸長部を含む。これらの部分は、下方キャリッジに枢動可能に結合されるのではなく、上方キャリッジに枢動可能に結合されている。このさらに別の横断接続部においても、第１の伸長部および第２の伸長部の枢動可能な結合のために、ヒンジ要素を使用してもよい。上方キャリッジにも横断接続部を装着することによって、第１の方向における上方キャリッジの剛性が高まる。
【００２１】
この発明の一実施例では、下方キャリッジは、上述の横断接続部と同様に具現化された、さらに別の枢動可能な横断接続部を含む。このさらに別の横断接続部を下方キャリッジに加えることもまた、第１の方向における下方キャリッジの剛性を高める。下方キャリッジの横断接続部およびさらに別の横断接続部は、それらが実質的に同時に枢動するように結合されることが推奨される。この結合により、下方キャリッジを折畳むには、横断接続部またはさらに別の横断接続部のみを動かせばよい。
【００２２】
この発明の一実施例では、装置は、下方キャリッジの横断接続部をロックするためにユーザによって操作可能なロック機構、および／または、下方キャリッジのさらに別の横断接続部をロックするためにユーザによって操作可能なさらに別のロック機構、および／または、上方キャリッジのさらに別の横断接続部をロックするためにユーザによって操作可能なさらに別のロック機構を含む。下方キャリッジおよび／または上方キャリッジの折畳み運動と、下方キャリッジおよび上方キャリッジの相対的回転運動とは関連付けられているため、すなわち、それらを互いに独立して行なうことは全くまたはほとんどできないため、これらの能動部品のうちの一方をロックすれば十分であろう。能動部品とはここでは、上述の回転運動または折畳み運動の際に動く部品である。能動部品の例は、下方キャリッジの横断接続部またはさらに別の横断接続部、もしくは上方キャリッジのさらに別の横断接続部である。能動部品毎に別個のロック機構が設けられてもよい。
【００２３】
この発明の一実施例では、下方キャリッジは、第１の結合ハウジングが設けられた第１のアームと、第２の結合ハウジングが設けられた第２のアームとを含む。第１の伸長部はここでは、第１の結合ハウジングに枢動可能に接続され、第２の伸長部は第２の結合ハウジングに枢動可能に接続されている。上方キャリッジも、第１の結合ハウジングおよび第２の結合ハウジングに枢動可能に接続されている。下方キャリッジの横断接続部と残りの部分との間の枢動点と、下方キャリッジおよび上方キャリッジの相対的回転運動のための枢動点とを共に配置することは、装置の機能性を集中させ、それにより、装置の他の部品が他の機能用に依然として利用可能なままになる。ベビーカーの場合、機能の集中は、たとえば、利用可能な荷物用空間を拡大できる。
【００２４】
この発明の一実施例では、第１および第２の結合ハウジングは各々、地面で装置を支持するための、支持ブロックまたは支持ホイールなどの支持構造に接続されている。この手段はまた、機能性のさらなる集中をもたらす。
【００２５】
この発明の一実施例では、下方キャリッジの第１のアーム、第２のアーム、横断接続部、およびさらに別の横断接続部は、実質的に同じ平面に位置しており、下方キャリッジの横断接続部および／またはさらに別の横断接続部を折畳む際、関連する第１の伸長部および関連する第２の伸長部が平面で枢動する。この機能性により、折畳まれた状態での装置の寸法は、同じ平面の方向において小さくなり得る。
【００２６】
この発明の一実施例では、第１のアーム、第２のアーム、および横断接続部は、Ｕ字型の輪郭を形成し、または、下方キャリッジの第１のアーム、第２のアーム、横断接続部、およびさらに別の横断接続部は、矩形の輪郭を形成し、または、第１のアーム、第２のアーム、および横断接続部は三角形の輪郭を形成し、第１のアームおよび第２のアームは、横断接続部から離れる方に向かう側で互いに枢動可能に結合されている。長方形の輪郭またはＵ字型の輪郭により、装置は、４つのコーナー点で支持されるようになる。三角形の輪郭は、たとえば、車輪が３つのベビーカーで使用可能である。折畳みを可能にするために、横断接続部から離れる方に向かう第１のアームおよび第２のアームの端が、枢動可能に接続されてもよい。
【００２７】
この発明の一実施例では、上方キャリッジは、第１の結合ハウジングに枢動可能に結合された第３のアームと、第２の結合ハウジングに枢動可能に結合された第４のアームとを含む。オプションで存在する、上方キャリッジのさらに別の横断接続部はここでは、第３のアームおよび第４のアームの双方に枢動可能に接続されてもよい。この後者の場合、上方キャリッジのさらに別の横断接続部の第１の伸長部は、第３のアームに枢動可能に結合され、上方キャリッジのさらに別の横断接続部の第２の伸長部は、第４のアームに枢動可能に結合されている。
【００２８】
この発明の一実施例では、装置は、第１のアームおよび第３のアームの互いに向かう相対的回転運動を、横断接続部の第１の伸長部の折畳み運動に変換するための、および／または、第２のアームおよび第４のアームの互いに向かう相対的回転運動を、横断接続部の第２の伸長部の折畳み運動に変換するための、別の変換機構を含む。バランスのとれた装置が、複数の変換機構を用いることによって得られ、特にこれが第１の方向に垂直な対称面を有する対称的な装置をもたらす場合に得られ、また、横断接続部および／またはさらに別の横断接続部のヒンジ要素によって得られる。
【００２９】
この発明の一実施例では、装置は、下方キャリッジと上方キャリッジとの間の接続アームを含み、接続アームは、下方キャリッジに摺動可能にかつ枢動可能に結合され、上方キャリッジに枢動可能に接続されている。そのような接続アームは、第１のアームと第３のアームとの間に、および／または第２のアームと第４のアームとの間に配置されている。枢動可能でかつ摺動可能な結合の一実施例では、接続アームは、下方キャリッジに向かう一端で、キャリッジに枢動可能に結合されている。キャリッジは次に、下方キャリッジのスロットまたは溝、たとえば第１または第２のアームの溝内で摺動してもよい。
【００３０】
この発明の一実施例では、装置は、第１のアームと第３のアームとの間の接続アームの摺動運動をロックするための、および／または、第２のアームと第４のアームとの間の接続アームの摺動運動をロックするためのロック機構を含む。ここで、アームの組合せ毎に別個のロック機構が設けられてもよい。しかしながら、双方の摺動運動が、下方キャリッジの横断接続部を介して関連付けられているということは、当業者には明らかであろう。
【００３１】
この発明の一実施例では、変換機構は、横断接続部と接続アームとの間の結合アームを含み、接続アームおよび結合アームは、下方キャリッジおよび上方キャリッジの互いに向かう相対的回転運動の際、接続アームが横断接続部から離れるように摺動して、これにより横断接続部の枢動をもたらすように具現化されている。上方キャリッジが下方キャリッジへと回転する際、またはその逆の場合、接続アームは横断接続部から離れるように摺動する。結合アームによる横断接続部と接続アームとの結合により、ヒンジ要素が引張られ、それにより横断接続部は枢動するであろう。その結果、回転時、下方キャリッジが第１の方向に折畳まれるであろう。
【００３２】
結合アームは、第１のアーム用の接続アームと第１の伸長部との間に、および、第２のアーム用の接続アームと第２の伸長部との間に配置されてもよい。ここでも、バランスのとれた装置が、結合アームの対称的使用を通して得られ得る。この手段または他の手段の対称的使用のさらなる利点は、二重ロック、たとえば第１のアームから見て装置の左側および右側についてのロックを適用することが可能になる、ということである。これにより、装置の安全性を高めることができる。なぜなら、回転運動および折畳み運動を可能にするには、２つの別個のロック機構を操作する必要があるためである。
【００３３】
この発明の一実施例では、接続アームは、第１の方向に折畳み可能なバー構成によって相互接続されており、バー構成は、使用位置で接続アーム間に剛性接続部を形成するよう付勢されている。そのようなバー構成は通常、剛性実体が得られるようにばね張力がかかった、枢動可能に結合された複数のチューブ部を含む。
【００３４】
この発明の一実施例では、バー構成は死点を有し、バー構成は、剛性接続部をもはや形成しなくなるよう、死点を越えて動かなければならない。ここで装置にはさらに、死点を越えるようにバー構成を動かすことによってバー構成のロックを解除するようユーザによって操作可能なロック解除機構が設けられている。回転運動と折畳み運動とが関連付けられていることにより、このロック解除機構はまた回転運動をロックする。
【００３５】
この発明の文脈では、ロック解除機構およびロック機構という用語は、ほぼ同じ機能性を意味するために使用される。接続アームの摺動運動をロックするためのロック機構は、たとえば、ロック解除機構とみなされてもよい。ロック機構の操作は、結局のところ、摺動運動が可能になることを確実にする。
【００３６】
この発明の一実施例では、バー構成のためのロック解除機構、および、第１のアームと第３のアームとの間の接続アームまたは第２のアームと第４のアームとの間の接続アームの摺動運動をロックするためのロック機構は、ユーザによる１回の操作によって同時に操作可能である。これはユーザの利便性を高める。上述の利点は、たとえば、前記機構同士が機械的に結合され、同じ操作要素を用いて操作可能であるという点で、達成可能である。これはその他の場合、たとえば左右にある二重形状をとる機構を除外しない。単一の動作とは、その場合、左側および右側の機構に関連する操作要素のほぼ同時の操作を意味する。
【００３７】
この発明の一実施例では、上方キャリッジは、回転軸に平行な軸を中心とする相互枢動のために互いに枢動可能に結合された、第１の上方キャリッジ部および第２の上方キャリッジ部を含む。これは、たとえば、折畳み位置での上方キャリッジの長さが、下方キャリッジの長さよりも大きい場合に有利である。これにより、上方キャリッジの長さが、折畳み位置での装置の全長を決定し得る。ここで上方キャリッジに枢動可能な形状も与えることにより、この長さを減少させること、たとえばほぼ半分にすることが可能である。
【００３８】
この発明の一実施例では、接続アームは第１の上方キャリッジ部に摺動可能にかつ枢動可能に結合され、下方キャリッジに枢動可能に接続されている。装置はさらに、第１の方向に折畳み可能で、第１の方向に平行な軸を中心とする回転のためにヒンジによって相互接続された背部およびシート部が設けられた子供用シートを含む。シート部はここではそのお尻側に、ヒンジから接続アームへと枢動可能に接続されたシートアームと、ヒンジから第１の上方キャリッジ部へと枢動可能に接続されたシート部結合アームとを含む。背部はその片側に、ヒンジから延びて第２の上方キャリッジ部に直接または変換機構を介して枢動可能に接続された背部アームを含む。
【００３９】
さらに別の実施例では、子供用シートには、第１の上方キャリッジ部の窪みに受けられる第１の挿入部が設けられている。シート部結合アームはここでは第１の挿入部に枢動可能に接続されており、子供用シートはさらに、第２の上方キャリッジ部の窪みに受けられ、背部アームが枢動可能に接続された第２の挿入部を含む。
【００４０】
さらに別の実施例では、第１および第２の挿入部と第１および第２の上方キャリッジ部との接続は解除可能であり、それにより子供用シートは装置の残りから取外し可能である。
【００４１】
この発明の一実施例では、装置は、第１および第２の上方キャリッジ部の相互ロックのためにユーザによって操作可能なロック機構を含む。そのロック位置では、第１および第２の上方キャリッジ部は、１つの伸長部を形成するために並んでいる。
【００４２】
この発明の一実施例では、第１のアームと第３のアームとの間の接続アームの摺動運動をロックするための、および／または第２のアームと第４のアームとの間の接続アームの摺動運動をロックするためのロック機構は、第１または第２の上方キャリッジ部に受けられ、かつ、第１および第２の上方キャリッジ部のロック解除および相対的回転の後でのみ、ユーザによってアクセス可能および／または操作可能である、ロック機構の前記操作のための操作要素を含む。したがって、第１および第２の上方キャリッジ部が依然としてロックされている場合、下方キャリッジおよび上方キャリッジを回転させて折畳むためにユーザが操作しなければならない操作要素にアクセスしたり、および／または操作要素を操作することは、不可能である。操作要素は、たとえば、第１および第２の上方キャリッジ部間の枢動点の近傍で、およびこれらの部分の一方において受けられる。上方キャリッジ部同士の相互枢動により、これらの部分の内側は開いたままとなり、それにより、ユーザが操作要素を操作することが可能になる。別のオプションは、第１および第２の上方キャリッジ部が互いに対してまだ枢動されていない場合、操作要素が阻止されるということである。
【００４３】
なお、上方キャリッジ部が枢動されると初めて利用可能になる操作要素を有する上述のシステムは、操作要素と関連するロック機構が、折畳み運動のロックとは別に回転運動のみをロックする場合にも、適用可能である。このため、そのようなシステムは本質的に、下方キャリッジに対して上方キャリッジが回転可能な既存のシステムで適用可能である。そのようなシステムの一例は、車輪が設けられた下方キャリッジに対して回転可能な２つの平行なプッシュバーによって上方キャリッジが形成されているベビーカーである。
【００４４】
この発明の一実施例では、変換機構は、上方キャリッジの一端に接続された第１の係合要素と、横断接続部の一端に接続された第２の係合要素とを含み、第１および第２の係合要素は相互に係合している。これらの係合要素は各々、たとえば歯車部を含む。上方キャリッジと横断接続部との間で係合要素を使用することにより、変換機構が直接的になるため、構成部品の数を少なくすることができる。全体に歯がついた歯車の使用が除外されないということは当業者には明らかであろう。なぜなら、歯車は歯車部を含むためである。
【００４５】
この発明の一実施例では、上方キャリッジは一端で、回転軸を中心とする回転のために配置された第１の歯車部に固定接続され、横断接続部は一端で、第１の歯車部に垂直に係合する第２の歯車部に固定接続されている。歯車部はこのため、歯車部に接続された構成部品と同じ平面で、またはそれに平行な平面で動く。
【００４６】
この発明のさらに別の実施例では、第３のアームはその一端で、下方キャリッジおよび上方キャリッジの互いに向かう相対的回転運動の際、回転軸を中心に回転する第１の歯車部に固定接続され、第１の伸長部は、第１のアームに向かう一端で、第２の歯車部に接続され、第２の歯車部は、第１のアームに対する第１の伸長部の前記枢動のために、第１のアームに固定接続された第１の軸を中心に回転可能である。
【００４７】
この発明のさらに別の実施例では、第１の軸は第１の結合ハウジングに配置され、第３のアームにはその一端に、回転軸に平行にかつ第１の結合ハウジングの空洞内で延びる第２の軸が設けられ、第２の軸はその一端で第１の歯車部に接続されている。
【００４８】
上述の変換機構はこのため、第１の結合ハウジングにおいて完全にまたはほぼ完全に受けられる。これにより、子供が指を挟むおそれがある鋭い可動部品が遮蔽されたままになる。これは、装置の安全性を高める。
【００４９】
この発明のさらに別の実施例では、第２のアーム、第４のアーム、および第２の伸長部についても、上述と同様の態様で、第１の歯車部および第２の歯車部が配置されている。これも、システムの対称性およびバランスを高める。
【００５０】
この発明はまた、子供を支持するための上述の装置を含むベビーカーも提供する。装置の下方キャリッジはここでは、ベビーカーの車輪搭載下方キャリッジに対応し、装置の上方キャリッジは、ベビーカーのプッシュバーに対応している。
【００５１】
この発明の一実施例では、上述の第３のアームおよび第４のアームは、ベビーカーを押し進めるためのプッシュバーであり、第１および第２のアームには車輪が設けられている。これらの車輪は、第１または第２の結合ハウジングに結合可能であり、旋回形状をとってもよい。ベビーカーの上方キャリッジはさらに、好ましくは第１の方向に折畳み可能な子供用シートに接続可能であってもよく、または接続されていてもよい。
【００５２】
装置はまた、子供を支持するための上述の装置を含む子供用椅子も提供する。
この発明の一実施例では、第１のアームおよび第２のアームは、地面で子供用椅子を支持するための桁を形成しており、第３および第４のアームは、シート部に接続可能な、または接続された垂直材である。このシート部も、第１の方向に折畳み可能であってもよい。
【００５３】
この発明はまた、子供を支持するための上述の装置を含む子供用ベッドも提供する。
この発明の一実施例では、子供用ベッドは、子供を支持するための前記装置の少なくとも２つを含み、各装置の第３および第４のアームは使用位置では垂直に配置されており、少なくとも２つの装置の第１および第２のアームは、横断接続部、第１のアーム、および第２のアームが、マットレスを配置可能な矩形構造を形成するように、互いに固定接続されている。子供用ベッドは、垂直材を第１および第２のアームの方向に回転させることによって折畳み可能である。これにより、１対の第１のアームと１対の第２のアームとの間の距離はより小さくなる。マットレスはまず、回転前に子供用ベッドから取外す必要がある。これらの種類のマットレスは通常、枢動可能に結合された一連のマットレス部として設計されている。これは、子供用ベッドを折畳んだ後で、子供用ベッドの周りにマットレスを畳み、それを１つのパッケージとして運ぶという可能性を生み出す。子供用ベッドにはまた、第３および第４のアーム間に張り渡された、下方または上方に折畳むスクリーンが設けられてもよい。子供はこれにより、子供用ベッドの中で安全であり、子供が容易に子供用ベッドから離れることはできない。
【００５４】
以下に、添付図面を参照して、この発明をより詳細に説明する。
【図面の簡単な説明】
【００５５】
【図１】使用位置にある、この発明に従ったベビーカーの一実施例を示す図である。
【図２】プッシュバーが折畳まれた図１の実施例を示す図である。
【図３】上方キャリッジが下方キャリッジに向かって回転した図１の実施例を示す図である。
【図４Ａ】図１の結合ハウジングの部分破断詳細図である。
【図４Ｂ】関連する底面図である。
【図５】折畳み位置にある図１のベビーカーを示す図である。
【図６】ベビーカーのハンドグリップの位置での図１のベビーカーの断面図である。
【図７】上方キャリッジのさらに別の横断接続部の位置での図１のベビーカーの断面図である。
【図８】上方キャリッジ部の枢動点の位置での図１のベビーカーの断面図である。
【図９】第２の結合ハウジングの位置での図１のベビーカーの部分破断詳細図である。
【図１０Ａ】使用位置にある、この発明に従った子供用椅子の一実施例を示す図である。
【図１０Ｂ】折畳み位置にある、この発明に従った子供用椅子の一実施例を示す図である。
【図１１Ａ】使用位置にある、この発明に従った子供用ベッドの一実施例を示す図である。
【図１１Ｂ】折畳み位置にある、この発明に従った子供用ベッドの一実施例を示す図である。
【図１１Ｃ】折畳み位置にある、この発明に従った子供用ベッドの一実施例を示す図である。
【図１２】図１の実施例の代替的な一実施例を示す図である。
【図１３Ａ】図１のベビーカー用の子供用シートの一実施例を示す図である。
【図１３Ｂ】図１のベビーカー用の子供用シートの一実施例を示す図である。
【図１３Ｃ】図１のベビーカー用の子供用シートの一実施例を示す図である。
【図１４】図１のベビーカーにおける図１３Ａの子供用シートの搭載を示す図である。
【図１５】この発明に従ったベビーカーのさらに別の一実施例を示す図である。
【図１６】図１５の実施例用の子供用シートを示す図である。
【図１７】図１５の実施例における子供用シートとベビーカーとの結合の詳細図である。
【図１８】子供用シートとベビーカーとの結合を示す図である。
【発明を実施するための形態】
【００５６】
図１は、この発明に従った子供を支持するための装置の一実施例が適用されるベビーカー１を示す。ベビーカー１は、下方キャリッジ２と上方キャリッジ３とを含む。下方キャリッジ２は、横断接続部６およびさらに別の横断接続部７によって結合される、第１のアーム４および第２のアーム５を含む。第１のアーム４および第２のアーム５は、第１の結合ハウジング８および第２の結合ハウジング９をそれぞれ含む。横断接続部６の第１の伸長部１０は、この部分が下方キャリッジ２の平面で回転できるように、第１の結合ハウジング８に枢動可能に接続されている。第１の伸長部１０はまた、ヒンジ要素１２によって第２の伸長部１１に枢動可能に接続されている。第２の伸長部１１は他端で、第２の結合ハウジング９に枢動可能に接続されている。横断接続部６は、図３に示すように、ヒンジ要素１２の２つの回転軸１３、１４によって枢動可能である。
【００５７】
さらに別の横断接続部７は、横断接続部６と同様に具現化されている。それは、第１の伸長部１５と、第２の伸長部１６と、２つの回転軸１８、１９を有するヒンジ要素１７とを含む。さらに別の横断接続部７はこれにより、図３に示すように、下方キャリッジ２の平面で枢動可能である。
【００５８】
第１の結合ハウジング８および第２の結合ハウジング９は、第３のアーム２０および第４のアーム２１にそれぞれ枢動可能に結合されている。第３のアーム２０および第４のアーム２１には一端に、ハンドグリップ２０およびハンドグリップ２３がそれぞれ設けられている。第３のアームおよび第４のアームは、さらに別の横断接続部２４によって相互に結合されている。さらに別の横断接続部２４は、第３のアーム２０に枢動可能に結合された第１の伸長部２５と、第４のアーム２１に枢動可能に結合された第２の伸長部２６とを含む。双方の部分は、軸２８を中心とする回転を可能にするヒンジ要素２７によって互いに枢動可能に結合されている。さらに別の横断接続部２４はこれにより、図５に示すように枢動可能である。第３のアーム２０、第４のアーム２１、およびさらに別の横断接続部２４は全体で、上方キャリッジ３を形成する。
【００５９】
第３のアーム２０は、ヒンジ２９によって互いに枢動可能に結合された２つのアーム部２０−１、２０−２を含む。同様に、第４のアーム２１は、ヒンジ３０によって互いに枢動可能に結合された２つのアーム部２１−１、２１−２を含む。アーム部２０−２、２１−２はこれにより、図２に示すように、それぞれのアーム部２０−１、２１−１に対して回転可能である。アーム部２０−１、２１−１はここで第１の上方キャリッジ部を形成し、アーム部２０−２、２１−２は第２の上方キャリッジ部を形成する。
【００６０】
下方キャリッジ２と上方キャリッジ３とは、接続アーム３１、３２によって結合されている。接続アーム３１は、第３のアーム２０に枢動可能に結合され、第１のアーム４に枢動可能にかつ摺動可能に結合されている。後者の結合は、接続アーム３１が第１のアーム４に向かう一端で、スロット３３内でそれ自体摺動可能なキャリッジ（図示せず）に枢動可能に結合されているため、可能となる。同様に、接続アーム３２は、第２のアーム５に向かう一端で、スロット３４内でそれ自体摺動可能なキャリッジ（図示せず）に枢動可能に結合されている。
【００６１】
接続アーム３１、３２は、枢動可能なバー構成３５によって相互に結合されている。このバー構成３５は、ヒンジ３７によって互いに枢動可能に結合された複数のチューブ部３６を含む（図９参照）。バー構成３５は、ねじりばね３８によって付勢されている。バー構成３５はこれにより、図１に示すような使用位置で剛性構造を形成する。バー構成３５は、死点を有する。バー構成３５がこの死点を越えて動かされまたは枢動されると、それはもはや図１の剛性構造を形成せず、図２および図３に示すように第１の方向に折畳み可能になる。
【００６２】
横断接続部６とさらに別の横断接続部７とは、２つのサイドアーム４０、４１に枢動可能に接続されたアーム３９によって結合されている。サイドアーム４０、４１は次に、第１のアーム４のスペーサ片４２および第２のアーム５のスペーサ片４３にそれぞれ枢動可能に接続されている。スペーサ片４２、４３は、横断接続部６、７の枢動点と関連するアーム４、５との間でほぼ等しい距離を提供する。
【００６３】
第１の結合ハウジング８および第２の結合ハウジング９は、旋回前輪４４に接続されている。後端で、第１のアーム４および第２のアーム５は、概して旋回形状をとっていない後輪４５に接続されている。フットペダル４６、４７を操作することによって、本質的に公知のブレーキ機構が起動可能である。この機構は、相互に係合可能な歯付き構造（図示せず）を含む。後輪４５の回転軸には１つの歯付き構造が接続されているため、この車輪にブレーキをかけることができる。双方の後輪４５のブレーキ機構は、ケーブル４８、４９によって機械的に結合されている。これは、一方のペダル４６、４７しか操作されない場合に双方の後輪４５が阻止されることを達成する。
【００６４】
ベビーカー１の操作について、以下に詳細に説明する。ここでの開始点は、図１に示すような使用位置である。
【００６５】
図１は、２つのプッシュボタン５０、５１を示す。これらのボタンを操作することにより、第３のアーム２０および第４のアーム２１内を走るケーブル５２が動かされる（図６〜８参照）。ケーブル５２は、被覆５３と、その中に受けられるケーブルコア５４とを含む。ケーブルコア５４はロール５５上に搭載され、ロール５５は、第４のアーム２１に対して軸５６を中心に回転できるものの、並進することはできない。プッシュボタン５１は、操作可能となる前に解除されなければならない。これは、ロック解除要素５７を第４のアーム２１へと動かすことによって起こる。窪み５８がこれにより、プッシュボタン５１の突起５９と並んで位置する。プッシュボタン５１はこれにより、第４のアーム２１内で動くことができる。この動きにより、本体６０が下向きに動かされる。これは、本体６０が軸５６用のスロット（図示せず）を含むために可能である。本体６０の一端で、ケーブルコア５４は点６１に固定接続されている。ケーブルコア５４はこのため、ロール５５の周りを走っている。さらに別の本体６２が、第４のアーム２１に固定接続されている。本体６２は、第４のアーム２１に対して被覆５３を固定する。本体６２に対して本体６０を遠ざけるばね６３が、さらに配置されている。プッシュボタン５１が操作されることによって本体６０がここで下向きに動かされると、ケーブルコア５４の終点６１は下向きに動くであろう。ケーブルコア５４はこれにより、効果的に引張られ得る。
【００６６】
図８は、結合されていない位置でのアーム部２１−１および２１−２間の枢動点を示す。アーム部２１−１および２１−２間の結合は、フック６４、６５によって可能になる。図８では、ケーブルコア５４の動きにより、フック６４が上向きに回転される。その他の場合、フック６４は、フック６５が係合可能な位置へと回転しやすくなるよう、ねじりばね６６によって張力をかけられている。ケーブルコア５４が結合されていないフック６４、６５を有するため、アーム部２１−１および２１−２は互いに対して枢動可能である。
【００６７】
アーム部２１−１には、ケーブル７０のケーブルコア６８およびケーブル７１のケーブルコア６９に接続されたハンドル６７が設けられている。これらのケーブルの被覆は、要素７２によって、アーム部２１−１に対して固定されている。ケーブルコア６８、６９は、軸７３を中心にハンドル６７を回転させることによって引張られる。しかしながら、ハンドル６７は、操作可能となる前に解除されなければならない。アーム部２１−１において、阻止手段７４が受けられる。図１の使用位置では、阻止手段７４はアーム部２１−１および２１−２間に封入されて固定して位置しており、それによりハンドル６７は操作できない。アーム部２１−１および２１−２の結合を解除した後、およびこれらの部分を枢動した後で、阻止手段７４は自由に動けるようになり、それによりハンドル６７は操作可能となる。
【００６８】
図７および図８を参照して、さらに別の横断接続部２４の動きをここに説明する。
図７は、さらに別の横断接続部２４の位置でのアーム部２１−２を示す。横断接続部２４の伸長部２６は、伸長部２６が軸７５を中心に回転できるようにアーム部２１−２に枢動可能に接続されている。しかしながら、図７に示す状況では、伸長部２６がロック要素７６に当たって位置しているため、この回転は不可能である。この要素は、ケーブル５２を通すための空洞を有する。ロック要素７６の動きは、ケーブル５２に影響を全くまたはほとんど与えない。伸長部２６には、伸長部２７の回転を促すねじりばね７７が設けられている。
【００６９】
アーム部２１−２は、本体７９に固定接続されたロッド７８を含む。この本体は、アーム部２１−２内で並進可能であり、本体７９を下向きに押すばね１８のばね張力を受けている。本体７９において受けられているのは、本体７９に対してロック要素７８を上向きに押す、さらに別のばね８１である。
【００７０】
図８は、ロッド７８が下向きに動けない状況を示す。これは、ばね８０が本体７９を下向きに押したためである。これは、ロッド７８が依然として、伸長部２６の回転が防止された上方位置にある図７とは対照的である。したがって、双方の図は相関していない。
【００７１】
図８に破線で示すのは、ロッド７８が下向きに動けないことを確実にする阻止手段８２である。使用位置では、阻止手段８２はアーム部２１−１および２１−２間に封入されており、それにより、それは留め具８３を越えて上向きに摺動し、ロッド７８を引留める。アーム部２１−１および２１−２の結合を解除した後で、阻止手段８２は下向きに摺動可能となり、それにより、ロッド７８も下向きに動くことができる。ばね８０のばね張力により、本体７９はロック要素７６とともに下向きに動くであろう。この結果、伸長部２６とロック要素７６とはもはや接触しておらず、伸長部２６は枢動可能である。ロック要素７６は本体７９に対して動くことができる。これにより、フレームが折畳み位置から使用位置へと動いた後で、アーム部２１−１および２１−２が互いに再度結合される際に、ロッド７８および阻止手段８２によって本体７９がその位置でロックされた場合でさえ、ロック要素７６は下向きの方向に動くことができる。横断接続部２４の伸長部２５および２６は、横断方向における上方キャリッジの剛性を高めるよう、再度並ぶようになるであろう。伸長部２６はここで、ロック要素７６の傾斜面を圧迫し、それによりロック要素７６は、ばね８１のばね張力とは逆に下向きに動く。伸長部２６が使用位置に位置する場合、それはもはやロック要素７６と接触しておらず、ロック要素７６はばね８１のばね張力によってそのロック位置へと動くであろう。
【００７２】
図１に示す実施例以外のベビーカーの実施例が可能であることは、当業者には明らかであろう。この発明は、たとえば、図１に示すハンドグリップ２２、２３の代わりに、横断接続部２４が押し要素として使用される一実施例を明らかに除外しない。そのような実施例では、図６に示すようなハンドグリップ２２、２３の機能部分は、横断接続部２４において少なくとも部分的に受けられるであろう。
【００７３】
図４Ａ、図４ｂ、および図９を参照して、下方キャリッジ３の機能性を説明する。
図９には、ケーブル７１がフック８４に接続されていることが示されている。このフックは、接続アーム３２の枢動点に係合している。図９はしたがって、接続アーム３２の枢動点がスロット３４内で並進できない状況を示している。したがって、上方キャリッジ３は下方キャリッジ２へと回転することができず、ベビーカー１は、以下に解明されるように折畳めない。さらに、ベビーカー１が完全に折畳まれた際に枢動点をロック可能なフック８５が示されている。双方のフック８４、８５はロッド８６によって結合されており、したがって、双方ともハンドル６７で操作可能である。
【００７４】
以下に説明するように、接続アーム３２の枢動点の摺動は、横断方向におけるベビーカー１の折畳みに、解除不能な態様で関連付けられている。枢動点の摺動はしたがって、バー構成３５の折畳みと調和する必要がある。これはケーブル７０によって起こり、それはバー構成３５をその死点を通るように引張る。これは枢動点の並進と同時に起こるため、ベビーカー１を折畳むことができる。
【００７５】
図４Ａおよび図４Ｂは、第１の結合ハウジング８を詳細に示す。ここでは軸８７が示されており、それはアーム部２０−１に固定接続され、オプションで軸受が搭載された態様で結合ハウジング８において支持されている、。上方キャリッジ３が下方キャリッジ２へと回転するにつれて、軸８７は回転するであろう。軸８７の端で、歯車部８８が軸８７に固定接続されている。歯車部８８は、歯車部８８に垂直に配置された歯車部８９に係合している。歯車部８９は、横断接続部６の第１の伸長部１０に固定接続されている。歯車部８９はここでは、軸９０を中心に回転可能である。したがって、その結果、第１の伸長部１０はまた、軸９０を中心に回転可能である。
【００７６】
上方キャリッジ３が下方キャリッジ２に向かって回転するにつれて、軸８７は、ギア付き変換機構によって第１の伸長部１０を枢動させるであろう。同じ機構が、ベビーカー１の他方の側に、すなわち第２の結合ハウジング９に配置されている。横断接続部６はこれにより、図３に示すように枢動するであろう。横断接続部６とさらに別の横断接続部７との結合により、この後者も枢動するであろう。
【００７７】
ベビーカー１の折畳みはこのため、以下のように要約できる。第１のステップとして、ロック要素５７が操作され、そのため、アーム部２０−１と２０−２、およびアーム部２１−１と２１−２とが、プッシュボタン５０、５１によって結合解除される。アーム部２０−２および２１−２は次に、ハンドグリップ２２、２３が前輪４４の近傍へと動くように前方に枢動される（図２参照）。さらに別の横断接続部２４がこれにより、ベビーカー１の横断方向に枢動可能になる。これにより、ハンドル６７を操作することも可能になる。この操作により、バー構成３５は折畳み可能になり、接続アーム３１、３２の枢動点は、それがそれぞれのスロット３３、３４内で摺動できるように結合解除される。その結果、ユーザは、上方キャリッジ３全体を下方キャリッジ２へと回転させることができる（図３参照）。この回転により、横断接続部６はギア付き変換機構によって枢動し、それにより、ベビーカー１は横断方向に折畳まれるであろう。横断接続部７および２４はここでは、横断接続部６の枢動運動に従う。最後に、ベビーカー１は、図５に示すように折畳まれた位置となる。
【００７８】
図示されていないものの、ベビーカー１は、通常の態様で子供用の折畳みベッドまたはカーシートに結合可能である。そのような構成要素も、折畳む際に構成要素がベビーカー１に接続されたままとなるよう、折畳み可能な形状を与えられている。カーシートは、たとえば、ここでは少なくとも横断方向に折畳み可能である。カーシートまたは折畳みベッドは通常、第３のアーム２０および第４のアーム２１に結合可能である。
【００７９】
この発明に従った子供を支持するための装置の適用を、ベビーカーについて上述してきた。しかしながら、この発明はベビーカーに限定されない。図１０Ａおよび図１０Ｂはこのため、子供用椅子での適用を示し、図１１Ａ〜１１Ｃは携帯用ベビーベッドでの適用を示している。
【００８０】
図１０Ａは、子供用椅子１０１を示す。これは、第１のアーム１０４と、第２のアーム１０５と、横断接続部１０６と、さらに別の横断接続部１０７とを含む。これらの要素は、子供用椅子１０１のための支持サービスを形成する。子供用椅子１０１はさらに、第３のアーム１２０と、第４のアーム１２１とを含む。これらのアームは入れ子状に伸長可能である。それらはシート部１９０に接続されている。この部分は、ヒンジ１９２、１９３によって枢動可能なアームレスト１９１を含む。シート部１９０の下側はさらに、ヒンジ１９４によって、第３のアーム１２０および第４のアーム１２１に枢動可能に接続されている。
【００８１】
子供用椅子１０１は、以下のように折畳み可能である。図１０Ａの要素はここでは、図１〜９の同様の要素と同じ機能を有する。まずアームレスト１９１のロックを解除し、それによりそれらは枢動可能となる。次にシート部を前方に動かす。これは入れ子式のアーム１２０、１２１のロックを解除し、その結果、シート部１９０を下向きに運ぶことが可能になる。この入れ子式の動きは、第３のアーム１２０と第１のアーム１０４との間の、および第４のアーム１２１と第２のアーム１０５との間の変換機構のロックを解除する。子供用椅子１０１はしたがって、横断方向および垂直方向の双方において折畳み可能となる。
【００８２】
図１１Ａは、使用位置にある子供用ベッド２０１を示す。子供用ベッド２０１は、第１のアーム２０４と、第２のアーム２０５と、第３のアーム２２０と、第４のアーム２２１と、横断接続部２０６とを含む。図１１Ａの要素は、図１〜９の同様の要素と同じ機能を有する。
【００８３】
子供用ベッド２０１を折畳むには、まず、第３のアーム２２０および第４のアーム２２１を、矢印Ａに示すように第１のアーム２０４および第２のアーム２０５の方向に回転させる。横断接続部２０６はこれにより枢動を開始し、それにより、図１１Ｃに示すような折畳み位置が得られる。子供用ベッド２０１にはさらに、子供を保護するために、ネット２９５が設けられてもよい。
【００８４】
これまで示してきた実施例では、上方キャリッジおよび下方キャリッジの回転運動を、下方キャリッジの、およびオプションで上方キャリッジの折畳み運動に変換するために、ギア付き変換機構が使用されてきた。しかしながら、この発明はそれに限定されない。
【００８５】
図１２は、ギア付き変換機構の代替例を示す。この図では、図１と同じ番号付けが採用されている。しかしながら、図１の実施例との大きな違いは、図１２ではギア付き変換機構がないということである。代わりに、結合アーム９８、９９が配置されている。結合アーム９８はここでは、接続アーム３１に枢動可能に接続され、第１の伸長部１０に枢動可能に接続されている。結合アーム９９は、接続アーム３２に枢動可能に接続され、第２の伸長部１１に枢動可能に接続されている。この実施例では、上方キャリッジを下方キャリッジへと回転させた結果、結合アーム９８，９９によって横断接続部６を枢動させるのは、接続アーム３１、３２である。しかしながら、この形の変換機構も直接的である。これは、横断接続部を下方キャリッジおよび上方キャリッジの相対的回転運動に直接接続する、一連の機械的構成部品があるためである。
【００８６】
図１３Ａ〜１３Ｃは、図１のベビーカー用の子供用シート３００の一実施例を示す。このシートは、シートをベビーカー１の上方キャリッジ３に取付ける挿入部３０１、３０２、３０３を含む（図１４参照）。挿入部３０３は、アーム部２０−２，２１−２に、矢印Ｇによって示す場所で取付けられる。挿入部３０１、３０２は、アーム部２０−１、２１−１に、それぞれの矢印Ｅ、Ｆによって示す場所で取付けられる。シート３００はさらに、背面３０７と、シート面３２２と、調節部を含む脚支持体と、シート３００を支持するためのロッド３２３、３２４、３２５、３２６と、調節つまみ３２７と、２個の非弾性バンド３２８、３２９とを含む。
【００８７】
シート面３２２は、シートロッド３０４および３０５間に張り渡された１枚の布（破線で示す）を含む。上方キャリッジ３の幅は、シート面３２２が張られることを確実にする。
【００８８】
背面３０７は、ブラケット３１４および３１５の上に枢動不能に搭載されたチューブ３０６を含む。ブラケット３１４および３１５は、それぞれのシートロッド３０４および３０５に枢動可能に接続されている。背中の支持はさらに、チューブ３０６にロッド３１１で接続されたパネル３０８によって形成される。子供の背中により幅広い支持を提供するために、追加のパネル３１２および３１３がロッド３１１に取付けられている。背面３０７はさらに、シート３００の後部でともに接合された非弾性バンド３２８、３２９によって支持されている。バンド３２８、３２９がともに接合する場所には、背面３０７が異なる位置で配置できるようにバンドをロックするための設備３２７が作られている。
【００８９】
シート３００の両側のシートロッド３０４および３０５には、脚支持体が取付けられている。この脚支持体は、脚支持調節部３２０が搭載された固定部３１８、３１９を含む。脚支持調節部３２０には、パネル３２１が取付けられている。脚支持調節部３２０の後ろ側には、脚支持体の高さを設定するためのつまみが設けられている。これらのつまみは、脚支持体が上向きに動かされると、それを自動的にロックする。
【００９０】
ロッド３２３、３２４、３２５、３２６は、上方キャリッジ３とともにシート３００を畳んだり広げたりすることを提供する。ロッド３２３と３２５、およびロッド３２４と３２６はここでは、互いに枢動可能に接続されており、ロッド３２３および３２４はそれぞれのブラケット３１４および３１５に枢動可能に接続され、ロッド３２５および３２６はそれぞれの挿入部３０１および３０２に枢動可能に接続されている。ロッド３２３、３２４、３２５、３２６はさらに、シート面３２２が引張られると、それはもはや前方に回転できない、ということを確実にする。
【００９１】
シート３００は、挿入部３０１、３０２、３０３によって、上方キャリッジ３に取付けられる。挿入部３０３は、アーム部２０−２および２１−２の窪み（図示せず）によって、これらのアーム部２０−２および２１−２に取付けられる。挿入部３０１および３０２は、接続アーム３１および３２の上方を降下する窪み３３０を有する。より上方で、挿入部３０１および３０２は、それぞれのアーム部２０−１および２１−１の上のプラスチック部品（図示せず）に嵌めこまれる。
【００９２】
挿入部３０３がアーム部２０−２および２１−２に取付けられるため、アーム２０−２および２１−２の前方への回転は、ベビーカー１の折畳みの一部として、挿入部３０３および非弾性バンド３２８、３２９を介して背面３０７を前方に引張るであろう。背面３０７が前方に引張られるため、ブラケット３１４および３１５も前方に回転する。ブラケット３１４、３１５には、ロッド３２３および３２４を前方に押す突起（図示せず）が追加されている。ロッド３２５、３２６の上方枢動点が上方キャリッジ３上の固定点に接続されているため、これは、シート３００が図１３Ｂに示すように上向きに動くという結果を有する。図１３Ｂに示すような状況では、シート面３２２は第３のアーム２０、２１に平行に位置し、背面３０７はさらに別の横断接続部２４の上に位置する。ここでアーム部２０−１および２１−１を下方キャリッジ２の方向に動かすと、下方キャリッジ２および上方キャリッジ３は、ギア付き変換機構を介してより狭くなるであろう。その結果、シート３００もより狭くなることを強いられる。これは、とりわけ、ロッド３１１がチューブ３０６およびパネル３０８上に枢動可能に搭載されているために可能である。パネル３１２、３１３はさらに、少なくとも部分的にパネル３０８を覆うよう摺動可能である。子供用シート３００の最終的な折畳み位置を図１３Ｃに示す。
【００９３】
図１５は、この発明に従ったベビーカーのさらに別の一実施例を示す。この実施例には、挿入部４０１，４０２、４０３によってアーム部２０−１、２０−２、２１−１、および２１−２に挿入される子供用シート４００も提示されている。ここで子供用シート４００をより詳細に図１６に示す。
【００９４】
子供用シート４００は、結合部４１４、４１５によって互いに接続されたシートロッド４０４、４０５と接続アーム４４０、４４２とを含む。接続アーム４４０、４４２はここでは結合部４１４、４１５に枢動可能に結合され、アーム部２０−１、２１−１に対して固定された枢動点４４１で挿入部４０２、４０１に枢動可能に結合されている。ベビーカーの一方の側について、以下に説明する。ベビーカーの他方の側も同一のまたは実質的に同一の形状を与えられ得るということが当業者には明らかであろう。
【００９５】
挿入部４０１はキャリッジ４８０に結合されており、キャリッジ４８０には、接続アーム４４２の枢動点４４１を受けるスロット４８１が設けられている。キャリッジ４８０は挿入部４０１を覆って摺動可能である（図１７参照）。
【００９６】
下側では、バー構成４３５が、枢動点４８５を介してアーム２０−１のスロット４８６に摺動可能に受けられている。枢動点４８５はこれにより、ベビーカーを折畳む際、上向きに摺動可能である。なお、この実施例では、バー構成と、下方キャリッジと上方キャリッジとの間の接続アームとは、一体的に形成される。他の実施例では、枢動点は接続アームのみの一部である。
【００９７】
図１の実施例の接続アーム３１とは対照的に、図１５の接続アーム／バー構成は、下方キャリッジではなくアーム部２０−１、２１−１において摺動可能である。接続アーム／バー構成はさらに、アーム部２０−１、２１−１に、および下方キャリッジに枢動可能に接続されている。
【００９８】
子供用シート４００は、挿入部４０１、４０２、４０３をアーム部２０−１、２０−２、２１−１、２１−２に配置して、子供用シート４００をバー構成４３５に接続することによって、フレームに結合可能である。この目的のために、子供用シート４００には、バー構成４３５の円筒形状の枢動点４８５に係合可能な窪み４８７が、結合部４５０の位置に設けられている（図１８参照）。この接続を確実にするために、弾性フック４８８がさらに存在する。結合部４５０はまた、キャリッジ４８０に固定接続されている。結合部４５０は、シートロッド４０５に枢動可能に接続されている。
【００９９】
ベビーカーを折畳む際、バー構成４３５の枢動点４８５は上向きに動くであろう。これによりキャリッジ４８０も、結合部４５０を介して上向きに摺動するであろう。枢動点４４１はここでは位置を変えない。
【０１００】
アーム部２０−２および２１−２を折畳んだ後で、バー構成４３５をその死点を通るように引張ることができる操作要素６７を操作することが可能になる。ハンドル６７を操作することにより、図９のケーブル７１と同等のケーブル（図示せず）によって突起４８９も引込められ、それにより、枢動点４８５はスロット４８６内で摺動可能となり、それにより、ベビーカーを折畳むことが可能になる。突起４８９はここでは、ばね張力を受けて配置されており、傾斜側が設けられている。これにより、ベビーカーを開いた際、下方キャリッジおよび上方キャリッジが互いに対してロックすることが可能になる。
【０１０１】
結合部４１５は、背部の部分を形成する背部ロッド４０６にも枢動可能に接続されている。図１５では、背部ロッド４０６は、好ましくは非弾性のバンド３２８、３２９によって、アーム部２０−２、２１−２に間接的に接続されている。これにより、ベビーカーを折畳む際、結合部４１５が前輪４４に対して後方に動くことが可能になり、一方、背部はより一層前輪４４に向かって動くであろう。
【０１０２】
図１６に示すように、背部は、複数のパネル４１２、４１３、４０８を含み、それらは、パネルおよび背部ロッド４０６の双方に枢動可能に接続されたロッド４１１によって相互に接続されている。これらのロッド４１１のうち、下方にあるロッドは、結合部４１４、４１５を通って走るケーブル（図示せず）によって、それぞれのシートロッド４０４、４０５に接続されている。ケーブルはここでは、上側から下方ロッド４１１の内部へと係合している。ベビーカーが折畳まれると、このケーブルは下方ロッドを枢動させ、それにより、それらは他のロッド４１１と同じ位置に位置するようになる。その結果、背部は横断方向において内向きに折畳まれ得る。図１６に示す状況では、背部をこのように折畳むことはできない。下方ロッド４１１はばね張力を受けており、これによりロッド４１１は図１６に示す状況へと動かされる。
【０１０３】
完全に折畳まれた位置では、枢動点４４１は、キャリッジ４８０のスロット４８１の端に当たって位置しており、それにより、枢動点４４１は結合部４５０に実質的に当たって位置している。
【０１０４】
結合部４１４は、ケーブルをロッド４１１に収容することがより容易になるよう、好ましくはプラスチックで具現化されている。
【０１０５】
上述のベビーカーの一利点は、その上に携帯用ベビーベッドまたはカーシートを配置できること、ならびに、下方キャリッジおよび上方キャリッジを非常にコンパクトな位置へと動かせることである。携帯用ベビーベッドおよびカーシートは、オプションでアダプタを使用して、上述の子供用シートと同様に上方キャリッジに結合可能である。しかしながら、携帯用ベビーベッドおよびカーシートは概して、アーム部２０−１および２１−１にのみ結合される。
【０１０６】
この発明に従ったベビーカーは、コンパクトで折畳み可能なバギーの特徴と、高品質のシートといったより大きいベビーカーの特徴との組合せ、および、携帯用ベビーベッドまたはカーシートを搭載するというオプションを形成する。このベビーカーをバギーとしても使用するには、小さい１組の車輪を設ければよい。
【０１０７】
上述の子供用シートはまた、この発明に従った構成を有していないベビーカーにも適用可能である。しかしながら、子供用シートは、この発明の第３および第４のアームといった枢動可能なロッドまたはチューブを使用するベビーカーまたは他の子供支持装置に搭載されるのに特に好適である。これは、上述の子供用シートが、子供用シートの結合を解除する必要なく、そのようなロッドまたはチューブが枢動する可能性を許容するためである。ひときわコンパクトな折畳み位置も得られる。
【０１０８】
上述の子供用シートは、子供支持装置の枢動可能なロッドまたはチューブの異なる部分に子供用シートを結合するための第１および第２の結合要素を有する。第１のアームおよび枢動可能なアームは、互いから距離を置いて、第１の結合要素からヒンジ要素へと延びている。通常、左側に１つ、右側に１つある第１のアームはここでシート面を規定し、一方、枢動可能なアームは強化を提供する。これらの後者のアームは通常、互いに枢動可能に接続された２つの部分を含む。
【０１０９】
ヒンジ要素から延びているのは、背面を規定する第２のアームである。これらのアームは好ましくは、ヒンジ要素に対して枢動不能である。背面はさらに、好ましくは弾性がほとんどまたは全くないバンドの形状をした可撓性部品によって、第２の結合要素に接続されている。使用位置では、背面は、背面の変位によって子供が後方に沈み込むことが全くまたはほとんどないように、これらの可撓性部品によって固定されている。
【０１１０】
この発明に従ったベビーカーなどの折畳み可能な子供支持装置における適用については、そのような子供用シートは横断方向に折畳み可能である。第２のアームはここでは、枢動可能な横断接続部によって相互に結合可能である。シート面は、第１のアーム間の１枚の布によって形成可能であり、それにより、それは容易により狭くなり得る。
【０１１１】
背面には、子供の背中を支持するためのパネルを設けることができる。パネルは両側で、接続アームによって第２のアームに枢動可能に接続可能である。その他の場合、第２のアームと接続アームとの間の接続も枢動可能である。接続アームには、さらなるパネルが配置されてもよい。
【０１１２】
ここに示された実施例に、この発明の保護範囲から逸脱することなく、さまざまな修正を加えることが可能であるということは、当業者には明らかであろう。この保護範囲は、添付された請求項によってのみ記載される。
【図１】
2013537150.tif 000003
【図２】
2013537150.tif 000004
【図３】
2013537150.tif 000005
【図４Ａ】
2013537150.tif 000006
【図４Ｂ】
2013537150.tif 000007
【図５】
2013537150.tif 000008
【図６】
2013537150.tif 000009
【図７】
2013537150.tif 000010
【図８】
2013537150.tif 000011
【図９】
2013537150.tif 000012
【図１０Ａ】
2013537150.tif 000013
【図１０Ｂ】
2013537150.tif 000014
【図１１Ａ】
2013537150.tif 000015
【図１１Ｂ】
2013537150.tif 000016
【図１１Ｃ】
2013537150.tif 000017
【図１２】
2013537150.tif 000018
【図１３Ａ】
2013537150.tif 000019
【図１３Ｂ】
2013537150.tif 000020
【図１３Ｃ】
2013537150.tif 000021
【図１４】
2013537150.tif 000022
【図１５】
2013537150.tif 000023
【図１６】
2013537150.tif 000024
【図１７】
2013537150.tif 000025
【図１８】
2013537150.tif 000026
【国際調査報告】
2013537150.tif 000027
2013537150.tif 000028
2013537150.tif 000029